(57)【要約】【課題】設置面積を小さくしながら安定して設置可能な冷蔵庫を提供する。【解決手段】脚部３３ａが冷蔵庫本体１１の前面から前方（Ｙ１側）に突出するとともに冷蔵庫本体１１の側面から側方に突出し、冷蔵庫本体１１の側面からの突出量を予め規定される冷蔵庫本体１１の側方の放熱スペースＳの下限値よりも小さくできる。【選択図】図５
2015081717.tif 000002
【特許請求の範囲】
【請求項１】
前面に開口部を開口した断熱箱体を有する冷蔵庫本体と、前記開口部を開閉する扉とを備え、前記冷蔵庫本体の底部に脚部を設けた冷蔵庫において、前記脚部が前記冷蔵庫本体の前面から前方に突出するとともに前記冷蔵庫本体の側面から側方に突出し、前記冷蔵庫本体の側面からの突出量を予め規定される前記冷蔵庫本体の側方の放熱スペースの下限値よりも小さくできることを特徴とする冷蔵庫。
【請求項２】
前記脚部が前記扉の前面よりも後方に配されることを特徴とする請求項１に記載の冷蔵庫。
【請求項３】
前記脚部は前記冷蔵庫本体と螺合して回転可能に配され、前記脚部の回転位置に応じて前記突出量を可変にしたことを特徴とする請求項１または請求項２に記載の冷蔵庫。
【請求項４】
前記脚部の外周面が上方に向かうに従って内側に傾斜する傾斜面から成ることを特徴とする請求項１〜請求項３のいずれかに記載の冷蔵庫。
【請求項５】
前記扉が左右の一方で枢支され、前記冷蔵庫本体の左右の他方であって底部後方に冷凍サイクルを運転する圧縮機及び金属から成る錘を設けたことを特徴とする請求項１〜請求項４のいずれかに記載の冷蔵庫。
【発明の詳細な説明】
【技術分野】
【０００１】
本発明は、冷蔵庫に関する。
【背景技術】
【０００２】
従来の冷蔵庫は特許文献１、２に開示されている。この冷蔵庫は前面が開口した内箱と内箱の外側を覆う外箱との間に発泡断熱材を充填した断熱箱体を有する冷蔵庫本体と、内箱の開口部を開閉する扉とを備える。冷蔵庫本体の底部には外箱の側方及び扉の前方に突出した脚部が設けられている。これにより、冷蔵庫が安定して支持されている。
【先行技術文献】
【特許文献】
【０００３】
【特許文献１】実開平０５−５９１８３号公報
【特許文献２】特開昭５９−１５７４７１号公報
【発明の概要】
【発明が解決しようとする課題】
【０００４】
上記従来の冷蔵庫によると、冷蔵庫本体からの脚部の突出量を大きくすると、安定性が向上する。しかしながら、冷蔵庫の設置スペースが広くなるため設置場所が制限されるとともに、使用者が脚部に躓き易くなる。このため、冷蔵庫の利便性が悪くなる問題があった。
【０００５】
本発明は安定して設置できるとともに利便性を向上できる冷蔵庫を提供することを目的とする。
【課題を解決するための手段】
【０００６】
上記目的を達成するために本発明は、前面に開口部を開口した断熱箱体を有する冷蔵庫本体と、前記開口部を開閉する扉とを備え、前記冷蔵庫本体の底部に脚部を設けた冷蔵庫において、前記脚部が前記冷蔵庫本体の前面から前方に突出するとともに前記冷蔵庫本体の側面から側方に突出し、前記冷蔵庫本体の側面からの突出量を予め規定される前記冷蔵庫本体の側方の放熱スペースの下限値よりも小さくできることを特徴としている。
【０００７】
また、本発明は、上記構成の冷蔵庫において、前記脚部が前記扉の前面よりも後方に配されることを特徴としている。この構成によると、使用者の上方からの視線に対して脚部が扉の下部に隠れる。
【０００８】
また、本発明は、上記構成の冷蔵庫において、前記脚部は前記冷蔵庫本体と螺合して回転可能に配され、前記脚部の回転位置に応じて前記突出量を可変にしたことを特徴としている。
【０００９】
また、本発明は、上記構成の冷蔵庫において、前記脚部の外周面が上方に向かうに従って内側に傾斜する傾斜面から成ることを特徴としている。
【００１０】
また、本発明は、上記構成の冷蔵庫において、前記扉が左右の一方で枢支され、前記冷蔵庫本体の左右の他方であって底部後方に冷凍サイクルを運転する圧縮機及び金属から成る錘を設けたことを特徴としている。
【発明の効果】
【００１１】
本発明によると、冷蔵庫本体の側面からの突出量を予め規定される冷蔵庫本体の側方の放熱スペースの下限値よりも小さくすることにより、冷蔵庫の設置面積を小さくしながら安定して冷蔵庫を設置することができる。
【図面の簡単な説明】
【００１２】
【図１】本発明の第１実施形態に係る冷蔵庫の正面図
【図２】本発明の第１実施形態に係る冷蔵庫の側面図
【図３】本発明の第１実施形態に係る冷蔵庫の底部を示す側面断面図
【図４】本発明の第１実施形態に係る冷蔵庫の底部右方を示す側面断面図
【図５】本発明の第１実施形態に係る冷蔵庫の底部右方を示す正面断面図
【図６】本発明の第１実施形態に係る冷蔵庫の脚部近傍の上面図
【図７】本発明の第１実施形態に係る冷蔵庫の底部右方を示す正面図
【図８】本発明の第２実施形態に係る冷蔵庫の底部を示す上面図
【図９】本発明の第２実施形態に係る冷蔵庫の底部後方を示す背面図
【図１０】本発明の第３実施形態に係る冷蔵庫の脚部近傍の上面図
【図１１】本発明の第３実施形態に係る冷蔵庫の脚部近傍の上面図
【図１２】本発明の第３実施形態に係る冷蔵庫の脚部近傍の上面図
【図１３】本発明の第４実施形態に係る冷蔵庫の底部右方を示す側面断面図
【発明を実施するための形態】
【００１３】
＜第１実施形態＞
以下に本発明の実施形態を図面を参照して説明する。図１は第１実施形態に係る冷蔵庫１の正面図であり、図２は冷蔵庫１の側面図である。なお、冷蔵庫１の正面に立った使用者の右手側をＸ１方向、左手側をＸ２方向とし、冷蔵庫１の前方をＹ１方向、後方をＹ２方向とする。
【００１４】
冷蔵庫１は冷蔵庫本体１１と冷蔵庫本体１１を支持する脚部３３ａ、３３ｂとを備える。冷蔵庫本体１１は開口した内箱１２と内箱１２の外側を覆う外箱１３との間に発泡断熱材（不図示）を充填した断熱箱体１５を有している。内箱１２は樹脂成形品から成り、前面を開口した複数の冷却室に区分けして形成される。内箱１２の上段には冷凍室２が配され、下段には冷蔵室３が配される。
【００１５】
冷蔵庫本体１１の下部には機械室１４が設けられる。機械室１４は断熱箱体１５の外部に配され、圧縮機４０を内装している。圧縮機４０と熱交換器（不図示）を含む冷凍サイクルが冷気を生成し、ダクト（不図示）を通じて冷凍室２及び冷蔵室３に冷気を分配する。これにより、各室において必要とされる冷蔵温度または冷凍温度が得られる。
【００１６】
冷蔵庫本体１１の底部には圧縮機４０を支持する圧縮機基板２０が配置されている。圧縮機基板２０の後部には脚部３３ｂが設けられている。なお、脚部３３ｂは冷蔵庫１を容易に移動させるために車輪を設けてもよい。
【００１７】
図３は冷蔵庫１の底部を拡大して示す側面断面図である。冷蔵室３には扉２３が設けられている。扉２３は冷蔵室３の開口部の右側（Ｘ１方向）において枢支部２３ａによって回転可能に取り付けられている。また、扉２３の背面には周部に沿ってガスケット２３ｂが設けられている。ガスケット２３ｂの内部には磁性体が設けられている。これにより、扉２３の背面がガスケット２３ｂを介して内箱１２の前面に圧着する。なお、冷凍室２にも同様に扉２２が設けられている。
【００１８】
内箱１２と外箱１３の間の断熱発泡材（不図示）内部には金属から成る錘５０が設けられている。錘５０は左右方向において扉２３を枢支する枢支部２３ａが設けられた側（Ｘ１方向）とは反対側（Ｘ２側）であって、冷蔵庫本体１の後方（Ｙ２側）に配されている。また、圧縮機４０も同様に左右方向において枢支部２３ａとは反対側（Ｘ２側）に配されている。なお、錘５０は薄い金属板（例えば、鉄板）を重ね合わせて所定位置に配される。
【００１９】
これにより、扉２２、２３を開いたときに枢支部２３ａに扉２３の荷重が集中するが、錘５０及び圧縮機４０によって冷蔵庫１の重心が中心側に寄り、冷蔵庫１を安定して起立させることができる。
【００２０】
図４、図５は冷蔵庫１の底部右方を示す側面断面図及び正面断面図である。また、図６は脚部３３ａ近傍の上面図を示している。冷蔵庫本体１１の底面前部には前方に突出するブラケット３２が取り付けられる。ブラケット３２には扉２３の柱状の枢支部２３ａが上方に突出して設けられる。ブラケット３２の枢支部２３ａよりも後方にはボルト３４が螺合して固定される。
【００２１】
ボルト３４には脚部３３ａのネジ孔３３ｃが螺合し、脚部３３ａが回転可能に配される。脚部３３ａを回転して高さ調整を行うことができる。ボルト３４は冷蔵庫本体１１の前面よりも前方に配置されるため、脚部３３ａは冷蔵庫本体１１の前面から突出する。
【００２２】
また、脚部３３ａの回転軸３４ａから外周面までの距離は最小距離Ｒ１から最大距離Ｒ２までの範囲で周方向の位置に応じて異なる。これにより、脚部３３ａを回転位置に応じて冷蔵庫本体１１の側面から突出させることができるとともに突出量を可変することができる。
【００２３】
このとき、図６に実線で示すように最大距離Ｒ２の方向を前方（Ｙ１方向）に向けた際に脚部３３ａは扉２３の前面よりも後方に配置される。即ち、脚部３３ａは回転位置を可変しても扉２３の前面から突出しないようになっている。これにより、使用者の上方からの視線に対して脚部３３ａが扉２３の下部に隠れ、冷蔵庫１の美観が向上する。また、冷蔵庫１の前面側で脚部３３ａに使用者が足を引っかける虞もない。
【００２４】
また、図６に一点鎖線で示すように、最大距離Ｒ２の方向を右方（Ｘ１方向）に向けた際に脚部３３ａの冷蔵庫本体１１の側面からの突出量は放熱スペースＳの下限値よりも大きくなっている。放熱スペースＳの下限値は冷蔵庫１の放熱ために必要な冷蔵庫本体１１の側面と室内の壁面Ｗとの最小距離を示し、取扱説明書の記載等により予め規定される。
【００２５】
また、最小距離Ｒ１の方向を右方（Ｘ１方向）に向けた際に脚部３３ａは冷蔵庫本体１１の側面よりも内側に配される。これにより、脚部３３ａの冷蔵庫本体１１の側面からの突出量が最大値と最小値との間で回転位置に応じて可変され、放熱スペースＳの下限値よりも小さくできる。これにより、冷蔵庫１の据え付け時の設置面積が小さくなり、冷蔵庫１の設置場所が制限されないため利便性が向上する。
【００２６】
なお、本実施形態では脚部３３ａは図６に実線で示す回転位置に配置した際に、冷蔵庫本体１１の側面から放熱スペースＳの下限値よりも小さい突出量（例えば、７ｍｍ）で突出し、冷蔵庫本体１１の前面から最大の突出量で突出している。これにより、冷蔵庫１の安定性を小さい設置面積で高くすることができる。
【００２７】
また、壁面Ｗに対して放熱スペースＳの下限値より近くに冷蔵庫１を設置した場合、庫内の食品から奪った熱を冷蔵庫１が放熱し難くなる。このため、冷蔵庫１の庫内が冷えにくくなり、電気消費量が多くなる。放熱スペースＳの下限値は冷蔵庫１の機種及び容量により異なる値であり、例えば、冷蔵庫本体１１の外面から側方に２０ｍｍ離れたレベルをいう。
【００２８】
脚部３３ａは外周面が上方に向かうに従って内側に傾斜する傾斜面から成る。これにより、脚部３３ａの下部は接地面が大きく、冷蔵庫本体１１を安定して支持することができる。また、脚部３３ａの上部は使用者の上方からの視線に対して隠れ易くなる。これにより、冷蔵庫１の美観がより向上する。
【００２９】
図７は包装箱６１に包装された冷蔵庫１の底部右方の正面図である。最大距離Ｒ２の方向を前方（Ｙ１方向）に向けた際に脚部３３ａの突出量は包装箱６１と冷蔵庫本体１１との隙間Ｃより小さくなる。冷蔵庫１は運搬時等に冷蔵庫１が包装箱６１内でがたつくため、冷蔵庫１は緩衝材６３を介して包装箱６１内に収納されている。また、冷蔵庫本体１１の側面と包装箱６１との間に隙間Ｃを設けて冷蔵庫１と包装箱６１が擦れて損傷するのを防いでいる。脚部３３ａの突出量を隙間Ｃ（例えば、１０ｍｍ）よりも小さくすることにより、脚部３３ａが包装箱６１と擦れて損傷するのを防ぐことができる。
【００３０】
本実施形態によると、冷蔵庫本体１１の側面からの突出量を予め規定される冷蔵庫本体１１の側方の放熱スペースＳの下限値よりも小さくすることにより、冷蔵庫１の据え付け時の設置面積を小さくしながら、安定して冷蔵庫１を設置することができる。また、脚部３３ａは冷蔵庫本体１１の前面より前方に配されているため、冷蔵庫１の前後方向（Ｙ１-Ｙ２方向）が脚部３３ａにより安定して支持される。
【００３１】
また、脚部３３ａの外周面が扉２３の前面より後方（Ｙ２側）に配されるため、使用者の上方からの視線に対して脚部３３ａが扉２３の下部に隠れ、冷蔵庫１の美観が向上する。また、冷蔵庫１の前面側で脚部３３ａに使用者が足を引っかける虞もない。
【００３２】
また、脚部３３ａは冷蔵庫本体１１と螺合して回転可能に配され、脚部３３ａの回転位置に応じて突出量が可変する。これにより、設置場所に応じて突出量を可変させて冷蔵庫１の利便性を向上させることができる。
【００３３】
脚部３３ａは外周面が上方に向かうに従って内側に傾斜する傾斜面から成る。これにより、脚部３３ａの下部は接地面が大きく、冷蔵庫本体１１を安定して支持することができる。また、脚部３３ａの上部は使用者の上方からの視線に対して隠れ易くなる。これにより、冷蔵庫１の美観がより向上する。
【００３４】
＜第２実施形態＞
図８は第２実施形態に係る冷蔵庫１の底部を示す上面断面図であり、図９は第２実施形態に係る冷蔵庫１の底部を示す背面図である。なお、前述の図１〜図７に示す第１実施形態と同様の部分には同一符号を付して説明を省略する。第１実施形態に対して第２実施形態は圧縮機基板２０上に金属から成る錘５０が設けられている。
【００３５】
錘５０は扉２３を枢支する枢支部２３ａが設けられた側（Ｘ１方向）とは反対側（Ｘ２側）であって、冷蔵庫本体１の後方（Ｙ２側）に配されている。これにより、扉２２、２３の開閉時においても冷蔵庫１の重心が中心側にあり、冷蔵庫１を安定して起立させることができる。また、第１実施形態よりも錘５０が冷蔵庫本体１１の底部側に配されているため、冷蔵庫１をより安定して起立させることができる。
【００３６】
＜第３実施形態＞
図１０〜図１２は第３実施形態に係る冷蔵庫の脚部近傍の上面図である。なお、前述の図１〜図７に示す第１実施形態と同様の部分には同一符号を付して説明を省略する。第１実施形態に対して第３実施形態はボルト３４（図４参照）の下端に円筒状の固定部３５がボルト３４に対して回転不能に固定されている。固定部３５の外周面には凹部３５ａが周方向に等間隔で複数形成されている。
【００３７】
また、脚部３３ａの上面には凹状のレール部３８が設けられ、レール部３８は短手方向の幅が固定部３５の径と略同一に形成されている。これにより、脚部３３ａを回転可能にレール部３８に沿って前後方向（Ｙ１−Ｙ２方向）に移動させることができる。また、レール部３８は長手方向の両端部に凸部３８ａ、３８ｂが設けられている。凸部３８ａ、３８ｂと凹部３５ａとが嵌合したとき脚部３３ａは周方向に固定される。
【００３８】
これにより、脚部３３ａを前後方向（Ｙ１−Ｙ２方向）にスライドさせて固定することができる（図１０、図１１参照）。また、脚部３３ａを回転させることにより、冷蔵庫本体１１の側面からの突出量を変更することもできる（図１２参照）。
【００３９】
＜第４実施形態＞
図１３は第４実施形態に係る冷蔵庫１の底部右方を示す側面断面図である。なお、前述の図１〜図７に示す第１実施形態と同様の部分には同一符号を付して説明を省略する。第１実施形態に対して第４実施形態は脚部１３の外周面に軸方向に延びる溝部３７が周方向に並設されている。これにより、脚部３３ａを回転させるとき脚部３３ａの外周面が滑り難くなり利便性が向上する。
【００４０】
なお、本発明は上述した各実施形態に限定されるものではなく、種々の変更が可能であり、異なる実施形態にそれぞれ開示された技術的手段を適宜組み合わせて得られる実施形態についても本発明の技術的範囲に含まれる。また、脚部３３ａを回転不能な固定式としてもよい。
【００４１】
本発明によると、脚部により冷蔵庫本体が支持される冷蔵庫に利用することができる。
【符号の説明】
【００４２】
１                冷蔵庫
２                冷凍室
３                冷蔵室
１１              冷蔵庫本体
１２              内箱
１３              外箱
１４              機械室
１５              断熱箱体
２０              圧縮機基板
２２、２３        扉
２３ａ            枢支部
２３ｂ            ガスケット
３２              前脚ブラケット
３３ａ、３３ｂ    脚部
３３ｃ            ネジ孔
３４              ボルト
３５              固定部
３５ａ            凹部
３４ａ            回転軸
３７              溝部
３８              レール部
３８ａ、３８ｂ    凸部
４０              圧縮機
５０              錘
【図１】
2015081717.tif 000003
【図２】
2015081717.tif 000004
【図３】
2015081717.tif 000005
【図４】
2015081717.tif 000006
【図５】
2015081717.tif 000007
【図６】
2015081717.tif 000008
【図７】
2015081717.tif 000009
【図８】
2015081717.tif 000010
【図９】
2015081717.tif 000011
【図１０】
2015081717.tif 000012
【図１１】
2015081717.tif 000013
【図１２】
2015081717.tif 000014
【図１３】
2015081717.tif 000015
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
前面に開口部を開口した断熱箱体を有する冷蔵庫本体と、前記開口部を開閉する扉とを備え、前記冷蔵庫本体の底部に脚部を設けた冷蔵庫において、前記脚部が前記冷蔵庫本体の前面から前方に突出するとともに前記冷蔵庫本体の側面から側方に突出し、前記冷蔵庫本体の側面からの突出量を予め規定される前記冷蔵庫本体の側方の放熱スペースの下限値よりも小さくでき、
前記脚部は前記冷蔵庫本体と回転可能に配されるとともに前記脚部の上面に形成された凹状のレール部に沿ってスライド可能に配され、前記脚部の回転位置及びスライド位置に応じて前記突出量を可変にしたことを特徴とする冷蔵庫。
【請求項２】
前記脚部が前記扉の前面よりも後方に配されることを特徴とする請求項１に記載の冷蔵庫。
【請求項３】
前記冷蔵庫本体の底部から下方に突出するボルトの下端に回転不能に固定された固定部の外周面に凹部が形成され、前記脚部の前記レール部の内面に凸部が形成され、前記固定部を前記レール部に沿って移動させて前記脚部をスライドさせるとともに前記凹部と前記凸部とを嵌合して前記脚部を周方向に固定することを特徴とする請求項１または請求項２に記載の冷蔵庫。
【請求項４】
前記脚部の外周面が上方に向かうに従って内側に傾斜する傾斜面から成ることを特徴とする請求項１〜請求項３のいずれかに記載の冷蔵庫。
【請求項５】
前記扉が左右の一方で枢支され、前記冷蔵庫本体の左右の他方であって底部後方に冷凍サイクルを運転する圧縮機及び金属から成る錘を設けたことを特徴とする請求項１〜請求項４のいずれかに記載の冷蔵庫。